(57)【要約】【課題】記念日に撮影された写真ということを容易に判別することができる記念日写真を容易に提供することができる記念日写真システムを提供する。【解決手段】デジタル化された写真の画像情報１と日時情報２とから、前記日時情報２に関連する記事データ３と前記画像情報１とを合成して記念日写真情報６を作成し、記念日写真４としてプリント出力する記念日写真システムであって、少なくとも前記画像情報１及び前記日時情報２を入力する入力手段２７と、前記日時情報２に関連する前記記事データ３を取得する取得手段２９と、該取得手段２９が取得した前記記事データ３と前記画像情報１とを合成して前記記念日写真情報６を作成する合成手段３０と、該合成手段３０が作成した前記記念日写真情報６から前記記念日写真４をプリント出力するプリント出力手段３１とを有する入出力端末２０と、前記記事データ３を前記入出力端末２０に配信する配信センター４０とを設ける。【選択図】        図１
2004229033.tif 000002
【特許請求の範囲】
【請求項１】
デジタル化された写真の画像情報と日時情報とから、前記日時情報に関連する記事データと前記画像情報とを合成して記念日写真情報を作成し、記念日写真としてプリント出力する記念日写真システムであって、
少なくとも前記画像情報及び前記日時情報を入力する入力手段と、前記日時情報に関連する前記記事データを取得する取得手段と、該取得手段が取得した前記記事データと前記画像情報とを合成して前記記念日写真情報を作成する合成手段と、該合成手段が作成した前記記念日写真情報から前記記念日写真をプリント出力するプリント出力手段とを有する入出力端末と、前記記事データを前記入出力端末に配信する配信センターとを具備することを特徴とする記念日写真システム。
【請求項２】
請求項１において、前記配信センターには、前記記事データを加工して容量を減少させた加工記事データを形成する加工手段が設けられ、前記入出力端末には、前記加工手段により形成された前記加工記事データが配信されることを特徴とする記念日写真システム。
【請求項３】
請求項１又は２において、前記入出力端末には、前記記事データが蓄積される端末保管手段が設けられていることを特徴とする記念日写真システム。
【請求項４】
請求項１〜３の何れかにおいて、前記配信センターには、前記合成手段と同等の機能を有する配信用合成手段と、電子計算機端末から前記画像情報及び前記日時情報を取得するデータ取得手段とが設けられ、前記データ取得手段が取得した前記画像情報及び前記日時情報から前記配信用合成手段が前記記念日写真情報を作成することを特徴とする記念日写真システム。
【請求項５】
請求項１〜４の何れかにおいて、前記配信センターには、前記記念日写真情報を前記記念日写真としてプリント出力する配信プリント出力手段が設けられていることを特徴とする記念日写真システム。
【請求項６】
請求項１〜５の何れかにおいて、前記配信センターには、前記記念日写真情報を蓄積する保管手段をさらに有することを特徴とする記念日写真システム。
【請求項７】
請求項１〜６の何れかにおいて、前記配信センター、前記入出力端末又はその両方には、前記記念日写真情報の作成回数毎又は前記記念日写真のプリント出力回数毎に課金する課金手段が設けられていることを特徴とする記念日写真システム。
【請求項８】
請求項１〜７の何れかにおいて、前記入出力手段には、利用者から料金を受け取る精算手段が設けられていることを特徴とする記念日写真システム。
【請求項９】
請求項１〜８の何れかにおいて、前記記事データが新聞の一面紙面であることを特徴とする記念日写真システム。
【請求項１０】
請求項１〜９の何れかにおいて、前記入出力端末に入力される前記日時情報が前記画像情報に含まれていることを特徴とする記念日写真システム。
【発明の詳細な説明】
【０００１】
【発明の属する技術分野】
本発明は、画像情報とこれに関連する所定日時に関する記事データとを合成して、プリント又はデータ等として出力する記念日写真システムに関する。
【０００２】
【従来の技術】
一般的に、誕生日、結婚式、卒業式等の記念すべき日や、思い出のある日などの記念日には、写真が撮影される場合がある。
【０００３】
この記念日に撮影された写真を見ただけで、その写真が記念日に撮影されたことが分かるようにするために、写真に日時を埋め込んで撮影する。
【０００４】
また、デジタルカメラの普及により、画像情報はデジタル化が進み、写真を現像する現像サービスには、デジタル化された画像情報を記録媒体に記録した状態で現像サービスを行う店舗に渡して現像する現像サービスや、ネットワークに接続する機能を有するユーザ側のＰＣから画像情報をネットワークを介してサービス提供側のＰＣに送り、サービス提供側で画像情報を写真として現像するプリントサービスシステムなどがある（例えば、特許文献１参照）。
【０００５】
また、ネットワークを介してプリント注文を受け付けるプリントサービスとしては、例えば、ユーザの有する画像データと、予め用意された複数のポストカード用テンプレートデータの中から選択されたテンプレートデータとをユーザの指定により合成して、画像入りポストカードをプリント出力し、ユーザに選択された写真店に配送するプリントサービスがある（例えば、特許文献２参照）。
【０００６】
【特許文献１】
特開２００２−２０３１１５号公報（第７−９頁、第１−３図）
【特許文献２】
特開２００２−２９７７４５号公報（特許請求の範囲等）
【０００７】
【発明が解決しようとする課題】
しかしながら、記念日に撮影した写真を見ただけで、記念日に撮影されたことが分かるようにするためには、写真撮影時に写真画面に日付を入力し、現像された写真に日付が表示されることしかできないという問題がある。
【０００８】
また、画像データとテンプレートデータとを合成して画像入りポストカードをプリント出力するプリントサービスでは、プリント出力したポストカードを見ただけでは記念日に撮影した写真という印象が直接的に得られないという問題がある。
【０００９】
本発明は、このような事情に鑑み、記念日に撮影された写真ということを容易に判別することができる記念日写真を容易に提供することができる記念日写真システムを提供することを課題とする。
【００１０】
【課題を解決するための手段】
上記課題を解決する本発明の第１の態様は、デジタル化された写真の画像情報と日時情報とから、前記日時情報に関連する記事データと前記画像情報とを合成して記念日写真情報を作成し、記念日写真としてプリント出力する記念日写真システムであって、少なくとも前記画像情報及び前記日時情報を入力する入力手段と、前記日時情報に関連する前記記事データを取得する取得手段と、該取得手段が取得した前記記事データと前記画像情報とを合成して前記記念日写真情報を作成する合成手段と、該合成手段が作成した前記記念日写真情報から前記記念日写真をプリント出力するプリント出力手段とを有する入出力端末と、前記記事データを前記入出力端末に配信する配信センターとを具備することを特徴とする記念日写真システムにある。
【００１１】
本発明の第２の態様は、第１の態様において、前記配信センターには、前記記事データを加工して容量を減少させた加工記事データを形成する加工手段が設けられ、前記入出力端末には、前記加工手段により形成された前記加工記事データが配信されることを特徴とする記念日写真システムにある。
【００１２】
本発明の第３の態様は、第１又は２の態様において、前記入出力端末には、前記記事データが蓄積される端末保管手段が設けられていることを特徴とする記念日写真システムにある。
【００１３】
本発明の第４の態様は、第１〜３の何れかの態様において、前記配信センターには、前記合成手段と同等の機能を有する配信用合成手段と、電子計算機端末から前記画像情報及び前記日時情報を取得するデータ取得手段とが設けられ、前記データ取得手段が取得した前記画像情報及び前記日時情報から前記配信用合成手段が前記記念日写真情報を作成することを特徴とする記念日写真システムにある。
【００１４】
本発明の第５の態様は、第１〜４の何れかの態様において、前記配信センターには、前記記念日写真情報を前記記念日写真としてプリント出力する配信プリント出力手段が設けられていることを特徴とする記念日写真システムにある。
【００１５】
本発明の第６の態様は、第１〜５の何れかの態様において、前記配信センターには、前記記念日写真情報を蓄積する保管手段をさらに有することを特徴とする記念日写真システムにある。
【００１６】
本発明の第７の態様は、第１〜６の何れかの態様において、前記配信センター、前記入出力端末又はその両方には、前記記念日写真情報の作成回数毎又は前記記念日写真のプリント出力回数毎に課金する課金手段が設けられていることを特徴とする記念日写真システムにある。
【００１７】
本発明の第８の態様は、第１〜７の何れかの態様において、前記入出力手段には、利用者から料金を受け取る精算手段が設けられていることを特徴とする記念日写真システムにある。
【００１８】
本発明の第９の態様は、第１〜８の何れかの態様において、前記記事データが新聞の一面紙面であることを特徴とする記念日写真システムにある。
【００１９】
本発明の第１０の態様は、第１〜９の何れかの態様において、前記入出力端末に入力される前記日時情報が前記画像情報に含まれていることを特徴とする記念日写真システムにある。
【００２０】
かかる本発明では、入出力端末で、画像情報と記事データとの合成を行いその場で記念日写真をプリント出力することができるため、記念日写真の作成時間を短縮して、記念日に撮影された写真ということを容易に判別することができる記念日写真を提供することができる。
【００２１】
【発明の実施の形態】
以下に、本発明を実施形態に基づいて詳細に説明する。
【００２２】
（実施形態１）
図１は、記念日写真システムの概要を示す図であり、図２は、入出力端末の概略斜視図であり、図３は、入出力端末の概要を示す図であり、図４は、入出力端末、配信サーバ及びデータセンターの概要を示す図である。
【００２３】
図１に示すように、記念日写真システムは、利用者１０が操作して写真の画像情報１及び日時情報２を入力すると共に記事データ３と画像情報１とを合成して記念日写真４をプリント出力する入出力端末２０と、日時情報２に対応する記事データ３を入出力端末２０に配信する配信センター４０と、日付に対応する記事データ３が蓄積されたデータセンター５０とが、インターネットや専用回線等のネットワークを介して接続されている。
【００２４】
入出力端末２０は、図２に示すように、例えば、箱形の本体２１に、画像情報１、日時情報２及び詳しくは後述する出力情報５等の各種情報や操作方法などが表示される画面２２と、画像情報１が記録された記録媒体を差し込む記録媒体差込口２３と、料金を投入する料金投入口２４と、プリント出力された記念日写真４が排出される写真排出口２５とが設けられている。
【００２５】
利用者１０が撮影した写真の画像情報１は、例えば、デジタルカメラにより撮影されたデジタル画像の情報であり、利用者１０は、デジタルカメラに搭載されて画像情報１を一時的に記録するコンパクトフラッシュ（登録商標）、スマートメディア（登録商標）、メモリースティック（登録商標）等の記録媒体を入出力端末２０の記録媒体差込口２３に差し込むことで、入出力端末２０に画像情報１を入力する。
【００２６】
なお、デジタルカメラ等に搭載された記録媒体は、上述のように様々な規格が存在するため、様々な記録媒体に対応した複数の記録媒体差込口２３を設けるのが好ましい。
【００２７】
また、デジタルカメラ等に搭載されて画像情報１が記録された記録媒体には、複数の画像情報が記録されているのが一般的なため、例えば、画面２２上で複数の画像情報を閲覧しながら任意の画像情報１を利用者１０に選択させるようになっている。
【００２８】
ここで、画面２２上に表示された複数の画像情報からの選択は、例えば、画面２２に直接触れて操作するタッチパネルや、本体２１に操作ボタンを設け、この操作ボタンを操作することにより行うことができる。本実施形態では、利用者１０が画面２２を直接触れるタッチパネルにより任意の画像情報１を選択できるようにした。
【００２９】
また、利用者１０は、入出力端末２０の画面２２上で、所望の記念日を日時情報２として入力すると共に、記念日写真４の出力形式を出力情報５として入力する。この日時情報２及び出力情報５の入力も、本実施形態では、画面２２を直接触れて操作するタッチパネルにより行うようにした。
【００３０】
なお、日時情報２は、例えば、利用者１０が写真を撮影した際に、撮影日を付加して撮影した場合には、日時情報２が画像情報１と共に記録媒体に蓄積されるため、利用者１０が任意の画像情報１を選択した際に選択した画像情報１に貼付された日時情報２を画面２２上に表示して、利用者１０に日時情報２の確認又は変更を行わせるようにしてもよい。
【００３１】
また、入出力端末２０には、コイン投入口２４ａと紙幣投入口２４ｂとからなる料金投入口２４と、お釣りなどを返却する料金返却口２６とが設けられている。
【００３２】
この料金投入口２４に例えば、記念日写真４を１枚プリント出力するための料金など、所定の料金が投入されることで、記念日写真４の作成が行われるようになっている。
【００３３】
なお、本実施形態の入出力端末２０は、料金投入口２４を設けることで、利用者１０の利用に応じてその場で精算を行えるようにしたが、特にこれに限定されず、例えば、クレジットカードによる精算、銀行引き落としによる精算及び予め販売したプリペイドカードによる精算などを入出力端末２０で行えるようにしてもよい。
【００３４】
また、入出力端末２０には、プリント出力された記念日写真４を利用者１０に渡すために、入出力端末２０から記念日写真４を排出する写真排出口２５が設けられている。
【００３５】
また、入出力端末２０は、図１及び図３に示すように、利用者１０に記録媒体差込口２３及び画面２２等を介して画像情報１、日時情報２及び出力情報５を入力させる入力手段２７と、日付に対応した記事データ３が所定量蓄積された端末保管手段２８と、日時情報２に対応する記事データ３を端末保管手段２８又は配信センター４０から取得する取得手段２９と、取得手段２９が取得した記事データ３と画像情報１とを合成して記念日写真情報６を形成する合成手段３０と、合成手段３０が作成した記念日写真情報６を記念日写真４としてプリント出力するプリント出力手段３１とを具備する。
【００３６】
詳しくは、図３に示すように、入力手段２７は、利用者１０に記録媒体差込口２３に記録媒体を差し込ませ、画面２２で画像情報１の選択、日時情報２の選択及び詳しくは後述する出力情報５の選択などを行わせる。
【００３７】
また、端末保管手段２８は、配信センター４０から配信された所定範囲の日付に対応する記事データ３を保管している。この端末保管手段２８が保管する記事データ３としては、例えば、利用者１０として需要の多い年齢の生まれた年や、過去数年間などの所定の範囲を重点的に保管している。なお、端末保管手段２８に保管される記事データ３は、所定範囲の日付に対応する記事データ３に限定されず、例えば、記事データ３の記事本文のみをデータ化して保持するようにしてもよい。
【００３８】
さらに、取得手段２９は、利用者１０により入力手段２７を介して入力された日時情報２に関する記事データ３を端末保管手段２８から取得する。このとき、端末保管手段２８に該当する記事データ３が保管されていない場合は、ネットワークを介して接続された配信センター４０が日時情報２に該当する記事データ３をデータセンター５０から取得し、配信センター４０から記事データ３を取得手段２９に渡す。このように配信センター４０から配信された記事データ３は、端末保管手段２８に保管される。なお、ここで、配信センター４０から取得される記事データ３は、詳しくは後述する加工手段４１により容量が減少されるように加工された加工記事データであり、この加工記事データが端末保管手段２８には保管される。
【００３９】
また、合成手段３０は、利用者１０により入力手段２７を介して入力された画像情報１と、取得手段２９が取得した日時情報２に関する記事データ３とを合成して記念日写真情報６を作成する。この合成手段３０による画像情報１と記事データ３との合成では、例えば、利用者１０が入力手段２７により複数のレイアウトから選択し、合成手段３０に形成させる記念日写真情報６のレイアウトを指示するなど、合成手段３０が形成する記念日写真情報６のレイアウトは、利用者１０が適宜指示できるようにしてもよい。
【００４０】
そして、プリント出力手段３１は、記念日写真情報６をフォトプリント紙などの記録用紙に印刷して記念日写真４を作成する。
【００４１】
ここで、プリント出力手段３１は、例えば、インクジェットプリンタ、ドットインパクトプリンタ、熱転写プリンタ、レーザプリンタ等の印刷装置を挙げることができる。
【００４２】
また、合成手段３０により合成される記念日写真情報６は、プリント出力手段３１により記念日写真４として出力された際に、例えば、図５に示すように、見出し語１００、要旨１０１及び記事本文１０２を画像情報１の周りに配置するようにしたものである。なお、図５は、記念日写真の一例を示す概略図である。
【００４３】
さらに、利用者１０は、入力手段２７を介して画像情報１及び日時情報２を入力する際に、同時に記念日写真４の入手方法、すなわち、出力形式を選択する。具体的には、記念日写真４の入手方法として、本実施形態では、入出力端末２０のプリント出力手段３１により記念日写真４をプリント出力して記念日写真４を入手するか、配信センター４０により記念日写真４をプリント出力して郵送により入手するか、又は、配信センター４０に記念日写真情報６を保管するかの何れかの出力形式を入力手段２７により選択することができる。このように選択した出力形式は出力情報５となる。
【００４４】
また、入出力端末２０には、利用者１０が選択した出力形式によって、課金を行う課金手段３２が設けられている。
【００４５】
課金手段３２は、例えば、入出力端末２０のプリント出力手段３１により記念日写真４を出力する場合には、プリント出力した記念日写真４の枚数などにより課金を行う。
【００４６】
また、課金手段３２によって課金された料金は、上述した料金投入口２４から料金を投入させることで、その場で精算を行う。
【００４７】
一方、配信センター４０は、図１に示すように、記事データ３を加工して容量を減少させる加工手段４１と、出力情報５に応じて入出力端末２０又は利用者１０のコンピュータ１１から画像情報１及び日時情報２を取得するデータ取得手段４２と、出力情報５に応じてデータ取得手段４２が取得した画像情報１及び日時情報２を合成して記念日写真情報６を形成する配信用合成手段４３と、出力情報５に応じて記念日写真情報６を記念日写真４としてプリント出力する配信用プリント出力手段４４と、出力情報５に応じて記念日写真情報６を保管する保管手段４５と、出力情報５に応じて記念日写真情報６を形成した回数又は配信用プリント出力手段４４によりプリント出力した記念日写真４の枚数などにより課金を行う配信用課金手段４６とを具備する。
【００４８】
また、加工手段４１は、データセンター５０から取得した新聞の一面記事等の記事データ３の見出し語１００、要旨１０１及び記事本文１０２から見出し語１００、要旨１０１及び記事本文１０２を抽出し、記事本文１０２を記号として予め入出力端末２０の端末保管手段２８に渡す。そして、入出力端末２０の取得手段２９が日時情報２に関する記事データを取得する際に、配信センター４０からは加工手段４１が抽出した見出し語１００及び要旨１０１のみを取得し、記事本文１０２は端末保管手段２８から取得する。これにより、取得手段２９が日時情報２に関する記事データ３を配信センター４０から取得する際に、配信センター４０から全ての記事データ３を取得する必要がなく、入出力端末２０と配信センター４０との通信速度が低くても処理の高速化を図ることができる。
【００４９】
さらに、図４に示すように、データ取得手段４２は、出力情報５に応じて利用者１０により入出力端末２０又は利用者１０のコンピュータ１１から入力された画像情報１及び日時情報２を取得する。
【００５０】
このデータ取得手段４２による画像情報１及び日時情報２の取得は、例えば、利用者１０が画像情報１及び日時情報２の入力を入出力端末２０から行い、且つ入出力端末２０から記念日写真４のプリント出力を望まない場合、すなわち、利用者１０が入力手段２７を介して出力情報５として、郵送又は保管を選択した場合に、入出力端末２０から画像情報１及び日時情報２が配信センター４０に渡される。
【００５１】
また、利用者１０が、配信センター４０とネットワークを介して接続されたコンピュータ１１により画像情報１及び日時情報２を入力した場合には、利用者１０は、記念日写真４の出力情報として郵送又は保管の何れかからしか選択できず、何れの場合においても画像情報１及び日時情報２は配信センター４０に渡される。
【００５２】
さらに、データ取得手段４２は、日時情報２に関する記事データ３をデータセンター５０から取得する。なお、データ取得手段４２が取得する記事データ３は、データセンター５０から直接取得するようにしてもよく、また、配信センター４０内の加工手段４１により加工した記事データ３を保管し、この加工された記事データ３を取得するようにしてもよい。
【００５３】
さらに、配信用合成手段４３は、出力情報５に応じてデータ取得手段４２が取得した画像情報１及び記事データ３から、記念日写真情報６を作成する。この配信用合成手段４３は、上述した入出力端末２０の合成手段３０に比べて、記念日写真４の上品質な合成や、複雑なレイアウトでの合成が可能なものである。なお、配信用合成手段４３が記念日写真情報６を形成するのは、利用者１０が出力情報として郵送又は保管を選択した場合のみである。
【００５４】
また、配信用プリント出力手段４４は、出力情報５に応じて、記念日写真情報６を記念日写真４としてプリント出力する。ここで、配信用プリント出力手段４４が記念日写真４をプリント出力するのは、利用者１０が出力情報として郵送を選択した場合のみである。
【００５５】
このように、配信用プリント出力手段４４が出力した記念日写真４は、利用者１０宛に郵送される。なお、記念日写真４の宛先は、利用者１０が出力情報として郵送を選択した際に住所等の宛先情報を入力手段２７又はコンピュータ１１により入力するようにしてもよく、また、利用者１０を予めユーザ登録して、ユーザ登録情報に基づく宛先としてもよい。
【００５６】
また、保管手段４５は、利用者１０が出力形式として保管を選択した場合に、例えば、利用者１０が所有するコンピュータ１１のインターネットブラウザ等のネットワークに対応したアプリケーションソフトウェアにより記念日写真４を閲覧できるように保管するものである。
【００５７】
さらに、配信用課金手段４６は、出力情報５に応じて、すなわち、利用者１０が記念日写真４の出力情報を郵送又は保管の何れかを選択した場合に、記念日写真情報６の作成回数や、記念日写真４のプリント出力枚数や、郵送料金などに応じて課金を行うものである。
【００５８】
このような配信用課金手段４６が課金した料金の精算方法としては、例えば、クレジットカードによる精算などを挙げることができる。
【００５９】
なお、本実施形態では、利用者１０が所有するコンピュータ１１と配信センター４０とをネットワークを介して接続し、利用者１０は、コンピュータ１１から画像情報１及び日時情報２を入力できるようにしたが、この場合、利用者１０は、出力情報として郵送又は保管のみを選択でき、保管の場合は、配信センター４０に保管された記念日写真情報６をネットワークを介して接続されたコンピュータ１１により閲覧することができる。また、閲覧した記念日写真情報６は、利用者１０が所有するコンピュータ１１に接続されたプリンタ等で記念日写真４としてプリント出力することもできる。このように、利用者１０は、入出力端末２０による入力以外に、所有するインターネット等に接続されたコンピュータ１１を介してもその場で記念日写真４を入手することができる。
【００６０】
また、利用者１０が所有するコンピュータ１１から画像情報１及び日時情報２を入力する場合は、入力される画像情報１は、デジタルカメラにより撮影されたデジタル画像の情報に限定されず、例えば、フィルムカメラにより撮影されて現像された写真をスキャナー、フィルムスキャナー等により読み込んで画像情報１としてもよい。
【００６１】
このように、本実施形態の記念日写真システムでは、利用者１０が撮影した写真と、この写真に関連する日時の記事データ３とを合成して、記念日に撮影された写真ということを容易に判別することができる記念日写真４を容易に且つ簡便に提供することができる。また、入出力端末２０のみで、記念日写真４を作成し、利用者１０に渡すことができるため、記念日写真４の作成時間を短縮することができる。さらに、入出力端末２０のみでなく、利用者１０の所持するコンピュータ１１から画像情報１及び日時情報２を入力し、記念日写真情報６をコンピュータ１１から閲覧又は記念日写真４を郵送により入手することができるため、例えば、結婚式や卒業式などを撮影する撮影業者など大量にオーダする利用者や、高品質なレイアウトなどにも対応することができる。
【００６２】
（他の実施形態）
以上、本発明の実施形態１を説明したが、本発明は上述したものに限定されるものではない。
【００６３】
例えば、上述した実施形態１では、配信センター４０とデータセンター５０とを別々に設け、ネットワークを介して接続するようにしたが、特にこれに限定されず、例えば、配信センター内にデータセンターを設けるようにしてもよい。
【００６４】
また、例えば、上述した実施形態１では、記念日写真４として合成する記事データ３として新聞紙面を例示したが、特にこれに限定されず、例えば、インターネットＷＥＢで閲覧するデジタルの記事データ等を挙げることができる。
【００６５】
【発明の効果】
以上説明したように、本発明の記念日写真システムでは、記念日に撮影された写真ということを容易に判別することができる記念日写真を提供することができると共に、入出力端末のみで、記念日写真を作成することができるため、記念日写真の作成時間を短縮することができる。また、配信センターで記念日写真を作成することもでき、大量オーダや、高品質なレイアウトなどにも対応することができる。
【図面の簡単な説明】
【図１】本発明の実施形態１に係る記念日写真システムの概要を示す図である。
【図２】本発明の実施形態１に係る入出力端末の概略斜視図である。
【図３】本発明の実施形態１に係る入出力端末の概要を示す図である。
【図４】本発明の実施形態１に係る入出力端末、配信サーバ及びデータセンターの概要を示す図である。
【図５】本発明の実施形態１に係る記念日写真の一例を示す概略図である。
【符号の説明】
１  画像情報
２  日時情報
３  記事データ
４  記念日写真
５  出力情報
６  記念日写真情報
１０  利用者
１１  コンピュータ
２０  入出力端末
４０  配信センター
５０  データセンター
【図１】
2004229033.tif 000003
【図２】
2004229033.tif 000004
【図３】
2004229033.tif 000005
【図４】
2004229033.tif 000006
【図５】
2004229033.tif 000007